(57)【要約】【課題】湯張り弁を自動で開いて、注水した水を浴槽に排水することができると共に、エア抜きの完了を自動で判定し残留エアのない確実な注水エア抜きを行うことができるコージェネレーションシステムを提供することを目的とする。【解決手段】本発明のコージェネレーションシステム１は、全体を制御する制御装置７と、給水口１１８と、給水口１１８を共有する１系統以上の循環系統１，４，５と、浴槽水の追い焚きを行う風呂追い焚き系統６と、循環系統１，４，５と風呂追い焚き系統６とを接続する湯張り経路９ａと、湯張り経路９ａに配設された湯張り弁１１４と、を備え、制御装置７は、注水エア抜き開始の信号が入力されると、湯張り弁１１４を開いて循環系統１，４，５に注水された水を湯張り経路９ａ及び風呂追い焚き系統６を介して浴槽へ排水し、循環系統１，４，５の注水エア抜きを行う構成を有している。【選択図】  図１
2004211927.tif 000002
【特許請求の範囲】
【請求項１】
全体を制御する制御装置と、給水口と、前記給水口を共有する１系統以上の循環系統と、浴槽水の追い焚きを行う風呂追い焚き系統と、前記循環系統の内いずれか１系統と前記風呂追い焚き系統とを接続する湯張り経路と、前記湯張り経路に配設された湯張り弁と、を備え、前記制御装置は、注水エア抜き開始の信号が入力されると、前記湯張り弁を開いて前記循環系統に注水された水を前記湯張り経路及び前記風呂追い焚き系統を介して浴槽へ排水し、前記循環系統の注水エア抜きを行うことを特徴とするコージェネレーションシステム。
【請求項２】
２系統以上の前記循環系統と、前記循環系統の各々に少なくとも１以上配設された開閉弁と、を備え、前記制御装置は、前記循環系統に配設された前記開閉弁を順次開閉して前記２系統以上の循環系統の注水エア抜きを1系統毎に順次行うことを特徴とする請求項１に記載のコージェネレーションシステム。
【請求項３】
前記制御装置は、一の前記循環系統の前記開閉弁を開いて所定時間経過後に次の注水エア抜きの対象となる前記循環系統の前記開閉弁を開くことを特徴とする請求項２に記載のコージェネレーションシステム。
【請求項４】
前記循環系統に配設された循環ポンプ及び流量センサを備え、前記制御装置は、すべての前記循環系統について前記注水エア抜きを行った後、前記湯張り弁を閉じ前記循環ポンプを駆動して前記循環系統に水を循環させ、前記流量センサにより検出された流量に基づいて前記循環系統のエア抜きが完了したか否かを判定することを特徴とする請求項２又は３に記載のコージェネレーションシステム。
【請求項５】
前記制御装置は、前記流量センサにより検出された流量が所定流量以上を維持している時間が所定時間を超えたことにより、前記循環系統のエア抜きの完了を判定することを特徴とする請求項４に記載のコージェネレーションシステム。
【請求項６】
前記循環ポンプ及び前記流量センサが、前記２系統以上の循環系統の共有部分に配設されていることを特徴とする請求項４又は５に記載のコージェネレーションシステム。
【発明の詳細な説明】
【０００１】
【発明の属する技術分野】
本発明は、都市ガス、ＬＰガス等を用いてガスエンジン発電機や燃料電池発電機を運転し電気を発生し、副産物として発生した熱を貯湯式の湯水の加熱に利用するコージェネレーションシステムに関するものである。
【０００２】
【従来の技術】
従来、空調装置の施工後又は試運転時において、水の注入によるエア抜きは、通常、注水プログラムによって行われていた。このような注水プログラムを用いたエア抜き方法としては、例えば特許文献１に開示されたものがある。特許文献１に開示の空調装置の注水エア抜き方法は、試運転スイッチの投入により注水プログラムがスタートすると、まず補給水タンクの水位センサが水位が下限レベルに達したことを検知し、循環ポンプが起動して、室内機へ水を循環させる。その後は水位センサが下限レベルを検知するとポンプを止めて給水弁を開き、上限レベルを検知すると給水弁が閉じられる、という動作を繰り返して行うものであった。
【０００３】
しかしながら、特許文献１に開示の空調装置の注水エア抜き方法では、補給水タンクの水位の変動により給水弁や循環ポンプを駆動しているため、このような補給水タンクを備えていないコージェネレーションシステム等に用いることができないという問題点があった。したがって、コージェネレーションシステムにおいて、注水エア抜きを行う場合は、システム内の所定の開閉弁を開き、給水口から貯湯タンクや他のすべての循環系統に注水すると共に、その際にシステムから排出される排水に含まれる気泡の排出音等によってエア抜きの完了を確認していた。
【０００４】
【特許文献１】
特開平６−１１１４４号公報
【０００５】
【発明が解決しようとする課題】
しかしながら、上記従来の技術では、以下のような課題を有していた。
（１）作業者は、気泡の排出音などによってエア抜きの完了を確認する必要があり、エア抜き作業の間は現場を離れることができない上に、確実にエア抜きができた時点を判別し難いので、作業効率が悪いという課題を有していた。
（２）循環系統内の空気が十分抜けきらないうちに注水動作が完了していまい、確実な注水エア抜きが行われないという課題を有していた。
（３）短時間で貯湯タンクや循環系統内のエア抜きが完了した場合であっても、一定時間が経過するまでは注水動作が終了しないため、無駄な時間が生じ小エネルギ性に欠けると共に作業性に欠けるという課題を有していた。
（４）貯湯タンクと共に複数の循環系統を有するコージェネレーションシステムでは、従来の方法では貯湯タンクや循環系統の配管内にエアが残留し易く、確実なエア抜きを行うことができないという課題を有していた。
【０００６】
本発明は、上記従来の課題を解決するもので、湯張り弁を自動で開いて、循環系統に注水した水を浴槽に排水することができると共に、循環系統内のエア抜きの完了を自動で判定し、残留エアのない確実な注水エア抜きを行うことができるコージェネレーションシステムを提供することを目的とする。
【０００７】
【課題を解決するための手段】
上記課題を解決するために本発明のコージェネレーションシステムは、以下の構成を有している。
【０００８】
本発明の請求項１に記載のコージェネレーションシステムは、全体を制御する制御装置と、給水口と、前記給水口を共有する１系統以上の循環系統と、浴槽水の追い焚きを行う風呂追い焚き系統と、前記循環系統の内いずれか１系統と前記風呂追い焚き系統とを接続する湯張り経路と、前記湯張り経路に配設された湯張り弁と、を備え、前記制御装置は、注水エア抜き開始の信号が入力されると、前記湯張り弁を開いて前記循環系統に注水された水を前記湯張り経路及び前記風呂追い焚き系統を介して浴槽へ排水し、前記循環系統の注水エア抜きを行う構成を有している。
【０００９】
この構成により、以下のような作用を有する。
（１）注水エア抜き時に、循環系統を通過した水を湯張り経路から風呂追い焚き系統を介して浴槽に排出することができるので、他に別途排水口等を設ける必要がなく、既存のシステムで注水エア抜きを行うことができる。
（２）循環系統から浴槽への湯張りを行うための湯張り弁を開くことにより、給水口から循環系統に注水した水を浴槽に排出してエア抜きを行うことができるので、既存のシステムで注水エア抜きを自動で開始することができ、制御が容易で制御性に優れる。
【００１０】
ここで、注水エア抜きは、リモコン等の操作部に設けられた試運転スイッチ等のオンにより制御装置に注水エア抜き開始の信号が入力されることで開始される。注水エア抜きが開始されると、制御装置は湯張り経路に配設された湯張り弁を開き循環系統に注水された水を浴槽へ排水する。なお、注水エア抜きを開始する前に、給水口のバルブ等を開き、給水口に接続された水道の水道圧等により循環系統に水が流入するようにしておく必要がある。システム内に貯湯を行う貯湯タンクが配設されている場合は、給水口のバルブ等を開くと貯湯タンクに水が流入する。注水エア抜きは、貯湯タンクが満水になった後に開始してもよく、或いは、貯湯タンクが満水になる前に開始してもよい。
【００１１】
請求項２に記載のコージェネレーションシステムは、請求項１に記載の発明において、２系統以上の前記循環系統と、前記循環系統の各々に少なくとも１以上配設された開閉弁と、を備え、前記制御装置は、前記循環系統に配設された前記開閉弁を順次開閉して前記２系統以上の循環系統の注水エア抜きを1系統毎に順次行う構成を有している。
【００１２】
この構成により、請求項１の作用に加え、以下のような作用を有する。
（１）２以上の循環系統の各々に配設された開閉弁を順次開閉することにより、２以上の循環系統の注水エア抜きを順番に１系統ごとに行うことができるので、循環系統の配管内にエアが残留し難く、エア抜きを確実に行うことができると共に、貯湯タンクを含む配管内に残留した異物を水やエアと共に排出することができる。
【００１３】
ここで、循環系統はシステム内において所定の弁を開閉することにより所定の循環路を形成すると共に、給水口から循環系統の一部を通って湯張り経路や風呂追い焚き系統等の排出側へ連通する経路を形成する。例えば、循環系統に設けられた開閉弁を開くことにより、給水口から循環系統、湯張り経路、風呂追い焚き系統を通って浴槽へ排水することができ、この際、循環系統に配設された循環ポンプを駆動し、湯張り経路に配設された湯張り弁を閉じると、循環系統内の水を循環ポンプにより該循環系統内に循環させることができる。
また、２以上の循環系統は、互いに共有するラインを有してもよい。なお、開閉弁を共有するラインに設けた場合は、独立したラインにも開閉弁を設けて、各々の循環系統のどちらか一方のみに注水を行うことができるようにすることが好ましい。
【００１４】
請求項３に記載のコージェネレーションシステムは、請求項２に記載の発明において、前記制御装置は、一の前記循環系統の前記開閉弁を開いて所定時間経過後に次の注水エア抜きの対象となる前記循環系統の前記開閉弁を開く構成を有している。
【００１５】
この構成により、請求項２の作用に加え、以下のような作用を有する。
（１）一の循環系統の開閉弁を開いて、該循環系統のエア抜きを行った後、所定時間経過後に自動で次の循環系統のエア抜きに移行するので、多数の循環系統のエア抜きを自動で且つ短時間で行うことができ省力性に優れる。
【００１６】
請求項４に記載のコージェネレーションシステムは、請求項２又は３に記載の発明において、前記循環系統に配設された循環ポンプ及び流量センサを備え、前記制御装置は、すべての前記循環系統について前記注水エア抜きを行った後、前記湯張り弁を閉じ前記循環ポンプを駆動して前記循環系統に水を循環させ、前記流量センサにより検出された流量に基づいて前記循環系統のエア抜きが完了したか否かを判定する構成を有している。
【００１７】
この構成により、請求項２又は３の作用に加え、以下のような作用を有する。
（１）循環系統内にエアが残留していれば、流量センサにより検出される流量が一定にならないため、流量センサにより検出される流量に基づいてエア抜きの判定をすることができ、システムのエア抜きを確実に行うことができる。
（２）循環ポンプを駆動して循環系統に水を循環させ、循環する水の流量を流量センサにより検出し、その流量に基づいてエア抜きの完了を判定し、自動で注水エア抜きを終了することができる。
【００１８】
ここで、循環ポンプ及び流量センサは２系統以上の循環系統の各々に複数配設してもよく、或いは、２以上の循環系統の共有するラインに配設してもよい。
また、流量センサにより検出される流量に基づいてエア抜きの判定を行う場合の判定方法としては、流量センサにより検出された流量が所定流量以上を維持している時間が所定時間を超えた場合に循環系統のエア抜きが完了したと判定する等が用いられる。
【００１９】
請求項５に記載のコージェネレーションシステムは、請求項４に記載の発明において、前記制御装置は、前記流量センサにより検出された流量が所定流量以上を維持している時間が所定時間を超えたことにより、前記循環系統のエア抜きの完了を判定する構成を有している。
【００２０】
この構成により、請求項４の作用に加え、以下のような作用を有する。
（１）流量センサにより検出された流量が所定流量以上を維持している時間が所定時間を超えたことにより、エア抜きの完了を判定するので、エア抜きを確実に行うことができると共に、エアが抜けた後も続けて給水を行うことがなく、無駄な給水及び作業時間を省略でき作業性に優れる。
（２）循環系統内にエアが残留していれば、流量センサにより検出される流量が一定にならないため、循環ポンプの駆動後に流量センサにより検出された流量が所定流量以上を維持している時間が所定時間を超えたことにより、エア抜きの判定をすることにより、システムのエア抜きを確実に行うことができる。
【００２１】
請求項６に記載のコージェネレーションシステムは、請求項４又は５に記載の発明において、前記循環ポンプ及び前記流量センサが、前記２系統以上の循環系統の共有部分に配設されている構成を有している。
【００２２】
この構成により、請求項４又は５の作用に加え、以下のような作用を有する。
（１）すべての開閉弁を開き循環ポンプを駆動することにより、２系統以上の循環系統のすべてに同時に水を循環させることができ、確実な注水エア抜きを行うことができる。
（２）共有するラインに循環ポンプや流量センサを設けることにより、２以上の循環系統を有している場合であっても複数の循環ポンプや流量センサを用いる必要がなく、省コスト性及び制御性に優れると共に、複数の循環ポンプや流量センサを設置する必要がないためシステム内の省スペース性に優れる。
【００２３】
以下、本発明の実施の形態について、図を用いて説明する。
（実施の形態１）
図１は本実施の形態１におけるコージェネレーションシステムを示す構成図である。
図１において、１は温度成層を形成して貯湯を行う貯湯系統（循環系統）、２は図示しないガスエンジン発電機の排熱を利用して（例えばウォータージャケットからの湯を利用して）貯湯系統１における湯水の加熱等を行うエンジン排熱系統、３は温水を使用した暖房を行う暖房系統、４は暖房系統３を高温に加熱するための高温暖房系統（循環系統）、５は風呂の追い焚きのための熱交換を行う風呂加熱系統（循環系統）、６は風呂の追い焚きを行う風呂追い焚き系統、７は全体を制御する制御装置、９は給水給湯系統である。
【００２４】
貯湯系統１（循環系統）は、貯湯タンク１０１、循環ポンプ１０２、逆流防止の逆止弁１０２ａ、湯水の温度を計測する貯湯サーミスタ１０３〜１０６、通水水量を連続的に制御する循環比例弁１０７、通水のオン、オフ制御を行う給水弁１０８（開閉弁）、循環する湯水の温度を計測する循環サーミスタ１０９、温度成層を形成するためのじゃま板１１０、１１１、逃し弁１２３ａ、熱の供給側１２４ａと受給側１２４ｂとから成る熱交換器１２４、循環ポンプ１０２から吐出される湯水をバイパスする貯湯弁１２５（開閉弁）、自動エア抜き弁１２６を有する。
エンジン排熱系統２は、排熱ポンプ２０１、湯が１００℃を越えないように大気に開放されたエンジン冷却水タンク２０２、暖房系統３との間において熱の供給を行う供給側２０４ａと熱の受給側２０４ｂとを有する熱交換器２０４、排熱サーミスタ２０５、図示しないガスエンジン発電機の発電能力に余剰が生じた場合にその余剰電力を回収して熱源として使用するための余剰電力回収ヒータ２０６、排熱ポンプ２０１からの湯水が吐出される往路口２０７、図示しないガスエンジン発電機のウォータージャケットからの湯水が供給される戻り口２０８を有する。
【００２５】
暖房系統３は、暖房ポンプ３０１、高温暖房系統４側に配設された熱の供給側３０２ａと暖房系統３側に配設された熱の受給側３０２ｂとから成る熱交換器３０２、暖房サーミスタ３０３、バイパス回路３０４、暖房水タンク３０６、往路口３０７、戻り口３０８を有する。暖房水タンク３０６は、暖房高水位電極３１１、暖房低水位電極３１２、暖房基準電極３１３を有している。これにより、水位が低下した場合等に必要に応じて暖房補給水弁４０５を介して後述の給水口より補給水が供給される。
高温暖房系統４（循環系統）は、補助熱源機４０１、補助熱源出サーミスタ４０２ａ、補助熱源入サーミスタ４０２ｂ、高温暖房系統４を作動させるためのオン、オフ動作の暖房弁４０３（開閉弁）、流量センサ４０４を有する。
風呂加熱系統５（循環系統）は、熱の供給側５０１ａと熱の受給側５０１ｂとから成る熱交換器５０１、熱交換器５０１の下流側に配設されたふろ弁５０２（開閉弁）を有する。
風呂追い焚き系統６は、風呂ポンプ６０１、図示しない浴槽へ追焚用の湯を供給する往路口６０２、図示しない浴槽からの湯水が供給される戻り口６０３、図示しない浴槽と熱交換器５０１の間を循環する湯水の温度を計測する風呂サーミスタ６０５、風呂水流スイッチ６０７、水位センサ６０８を有する。
【００２６】
給水給湯系統９は、湯と水の混合比を制御して混合する混合弁１１２、流量調整弁１１３、給湯口１１７、給水口１１８、圧力調整の減圧弁１１９、給水温度を計測する給水サーミスタ１２０、水量を計測する給水水量センサ１２１、逆流防止の逆止弁１２２、給湯温度を計測する給湯サーミスタ１３１を有する。
また、給水給湯系統９は、風呂追い焚き系統６と給水給湯系統９をバイパスして接続する湯張り経路９ａを有する。湯張り経路９ａは、通水のオン、オフ制御を行う湯張り弁１１４、湯張り水量センサ１１４ａ、逆流防止の逆止弁１１５、１１６を有する。
【００２７】
以上のように構成されたコージェネレーションシステムについて、その注水エア抜き方法を図を用いて説明する。
【００２８】
図２は本実施の形態１におけるコージェネレーションシステムの注水エア抜き時の動作を示すフローチャートである。
図３乃至図１０は本実施の形態１におけるコージェネレーションシステムの注水エア抜き時の動作を示す動作説明図である。なお、図３乃至図１０は図１で説明したコージェネレーションシステムの概略を示す。
なお、流量センサ４０４及び循環ポンプ１０２は、給水口１１８から系統内に注水され浴槽へ排水される水が、貯湯系統１、高温暖房系統４、風呂加熱系統５のいずれを通過する場合であっても常に流量センサ４０４及び循環ポンプ１０２を通過する位置、すなわち貯湯系統１、高温暖房系統４、風呂加熱系統５が互いに共有する部分に配設されている。
まず、注水エア抜きは、制御装置７やリモコン（図示せず）の試運転スイッチをオンすることにより、制御装置７に注水エア抜き開始の信号が入力され開始される。なお、注水エア抜き開始前の初期状態、すなわちコージェネレーションシステムの施工後や、点検やメンテナンスのために配管の水抜きをした後の注水エア抜き開始時においては、循環ポンプ１０２は停止し、貯湯弁１２５、湯張り弁１１４、ふろ弁５０２、暖房弁４０３、給水弁１０８は閉じた状態にある。また、混合弁１１２は風呂加熱系統５側（湯側）が全開であり、給水口１１８側（水側）が全閉となっている。また、給水口１１８のバルブ（図示せず）は手動等により開いておく。給水口１１８のバルブを開くと、給水口１１８に接続された水道の水圧等により貯湯タンク１０１に熱媒としての水が流入する。
給水口１１８のバルブが開かれ、貯湯タンク１０１が満水になった後、或いは貯湯タンク１０１が満水になる前に、制御装置７に注水エア抜き開始の信号が入力されると、湯張り弁１１４が開かれる（Ｓ１）。これにより、給水口１１８から貯湯系統１の貯湯タンク１０１、高温暖房系統４の流量センサ４０４、補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通する。これにより、図３に示すように、給水口１１８に接続された水道の水圧により、給水口１１８から貯湯タンク１０１に供給された水は上記経路を通って風呂追い焚き系統６の往路口６０２や戻り口６０３から浴槽（図示せず）内に排出され、貯湯タンク１０１の注水エア抜きが行われる。
本実施の形態１においては、貯湯系統１、高温暖房系統４、風呂加熱系統５の各々の循環系統のエア抜きを行う前に貯湯タンク１０１のエア抜きを行い、そのエア抜き判定を行っている。以下、貯湯タンク１０１のエア抜き判定について説明する。なお、本実施の形態１のように、コージェネレーションシステム１が貯湯タンク１０１を備えている場合は、貯湯タンク１０１のエア抜きが完了した後に各循環系統のエア抜きを行うことが好ましい。これにより、エア抜きに比較的時間のかかる貯湯タンク１０１からエア抜きを行うため、効率良くエア抜きを行うことができ、作業時間が短縮され省力性に優れる。
流量センサ４０４は注水エア抜き開始後から通過する水の流量を検出する（Ｓ２）。制御装置７は、流量センサ４０４により検出された流量が所定流量以上を維持した時間が所定時間を超えると、貯湯タンク１０１のエア抜きの完了を判定して、次のステップに進む。ここで、本実施の形態１においては、貯湯タンク１０１のエア抜き完了の判定の際の所定流量としては８Ｌ／ｍｉｎが設定され、所定時間としては３０ｓが設定されている。なお、貯湯タンク１０１のエア抜きの完了を判定した後、本実施の形態１においては、各循環系統に通水すると共に貯湯タンク１０１にも継続して通水を行っているが、これに限られるものではなく、貯湯タンク１０１のエア抜き完了の判定後は貯湯タンク１０１に通水を行わないようにしてもよい。この場合、貯湯タンク１０１の上流側及び／又は下流側に開閉弁を配設し、貯湯タンク１０１のエア抜き完了の判定時にこの開閉弁を閉じるようにする。これにより、各循環系統のエア抜きを短時間で行うことができシステム全体のエア抜きを早く完了することができる。
【００２９】
Ｓ２で流量センサ４０４により検出された流量が所定流量以上を維持した時間が所定時間を超えると、制御装置７は給水弁１０８を開く（Ｓ３）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通する。これにより、図４に示すように、給水口１１８に接続された水道の水圧により、水は上記経路及び貯湯タンク１０１を通って風呂追い焚き系統６の往路口６０２や戻り口６０３から浴槽（図示せず）内に排出され、注水エア抜きが行われる。なお、制御装置７は、給水弁１０８を開くとタイマーを作動させ、１５秒経過すると次のステップに進む（Ｓ４）。
【００３０】
Ｓ３で給水弁１０８を開いてから１５秒経過すると、制御装置７はふろ弁５０２を開く（Ｓ５）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通すると共に、貯湯系統１の給水弁１０８から風呂加熱系統５側へ分岐してふろ弁５０２、熱交換器５０１の熱の供給側５０１ａを通って給水給湯系統９に入る経路が連通する。これにより、図５に示すように、給水口１１８に接続された水道の水圧により、水は上記経路及び貯湯タンク１０１を通って風呂追い焚き系統６の往路口６０２や戻り口６０３から浴槽（図示せず）内に排出され、注水エア抜きが行われる。なお、制御装置７は、ふろ弁５０２を開くとタイマーを作動させ、１５秒経過すると次のステップに進む（Ｓ６）。
【００３１】
Ｓ５でふろ弁５０２を開いてから１５秒経過すると、制御装置７は貯湯弁１２５を開き、ふろ弁５０２を閉じる（Ｓ７）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通すると共に、給水口１１８から貯湯系統１の給水弁１０８、貯湯弁１２５、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通する。これにより、図６に示すように、給水口１１８に接続された水道の水圧により、水は上記経路及び貯湯タンク１０１を通って風呂追い焚き系統６の往路口６０２や戻り口６０３から浴槽（図示せず）内に排出され、注水エア抜きが行われる。なお、制御装置７は、貯湯弁１２５を開き、ふろ弁５０２を閉じるとタイマーを作動させ、１５秒経過すると次のステップに進む（Ｓ８）。
【００３２】
Ｓ７で貯湯弁１２５を開き、ふろ弁５０２を閉じてから１５秒経過すると、制御装置７は貯湯弁１２５を閉じ、暖房弁４０３を開く（Ｓ９）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通すると共に、給水口１１８から、貯湯系統１の給水弁１０８、高温暖房系統４の暖房弁４０３、熱交換器３０２、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通する。これにより、図７に示すように、給水口１１８に接続された水道の水圧により、水は上記経路及び貯湯タンク１０１を通って風呂追い焚き系統６の往路口６０２や戻り口６０３から浴槽（図示せず）内に排出され、注水エア抜きが行われる。なお、制御装置７は、貯湯弁１２５を閉じ、暖房弁４０３を開くとタイマーを作動させ、１５秒経過すると次のステップに進む（Ｓ１０）。
【００３３】
Ｓ９で貯湯弁１２５を閉じ、暖房弁４０３を開いてから１５秒経過すると、制御装置７は貯湯弁１２５を開き、ふろ弁５０２を開く（Ｓ１１）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通すると共に、給水口１１８から、貯湯系統１の給水弁１０８、高温暖房系統４の暖房弁４０３、熱交換器３０２、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路、給水口１１８から、貯湯系統１の給水弁１０８、貯湯弁１２５、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路、及び、貯湯系統１の給水弁１０８から風呂加熱系統５側へ分岐してふろ弁５０２、熱交換器５０１の熱の供給側５０１ａを通って給水給湯系統９に入る経路が連通する。これにより、図８に示すように、給水口１１８に接続された水道の水圧により、水は上記経路及び貯湯タンク１０１を通って風呂追い焚き系統６の往路口６０２や戻り口６０３から浴槽（図示せず）内に排出され、注水エア抜きが行われる。なお、制御装置７は、貯湯弁１２５を開き、ふろ弁５０２を開くとタイマーを作動させ、１５秒経過すると次のステップに進む（Ｓ１２）。
【００３４】
Ｓ１１で貯湯弁１２５を開き、ふろ弁５０２を開いてから１５秒経過すると、制御装置７は循環ポンプ１０２を駆動させる（Ｓ１３）。これにより、給水口１１８から、貯湯系統１の給水弁１０８、循環ポンプ１０２、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路が連通すると共に、給水口１１８から、貯湯系統１の給水弁１０８、高温暖房系統４の暖房弁４０３、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路、給水口１１８から、貯湯系統１の給水弁１０８、貯湯弁１２５、流量センサ４０４、高温暖房系統４の補助熱源機４０１、風呂加熱系統５から給水給湯系統９に入って、混合弁１１２、流量調整弁１１３、湯張り経路９ａの湯張り弁１１４を介して、風呂追い焚き系統６に入り往路口６０２や戻り口６０３から浴槽（図示せず）内に排出される経路、及び、循環ポンプ１０２から流量センサ４０４、高温暖房系統４の補助熱源機４０１、ふろ弁５０２を通って循環ポンプ１０２に戻る風呂加熱系統５を循環する経路が連通する。これにより、図９に示すように、給水口１１８に接続された水道の水圧及び循環ポンプ１０２の駆動により、水は上記経路を通って又は循環して風呂追い焚き系統６の往路口６０２や戻り口６０３から浴槽（図示せず）内に排出され、注水エア抜きが行われる。なお、制御装置７は、循環ポンプ１０２を駆動するとタイマーを作動させ、１５秒経過すると次のステップに進む（Ｓ１４）。
【００３５】
Ｓ１３で循環ポンプ１０２を駆動させてから１５秒経過すると、制御装置７は湯張り弁１１４を閉じる（Ｓ１５）。これにより、循環ポンプ１０２から貯湯タンク１０１及び循環ポンプ１０２から貯湯弁１２５を循環する貯湯系統１、循環ポンプ１０２から流量センサ４０４、補助熱源機４０１、暖房弁４０３を循環する高温暖房系統４、及び、循環ポンプから流量センサ４０４、補助熱源機４０１、ふろ弁５０２を循環する風呂加熱系統５が連通する。これにより、図１０に示すように、循環ポンプ１０２の駆動により、水は貯湯系統１、高温暖房系統４、及び風呂加熱系統５を循環する。なお、制御装置７は、湯張り弁１１４を閉じるとタイマーを作動させ、３０秒経過すると次のステップに進む（Ｓ１６）。
【００３６】
Ｓ１５で湯張り弁１１４を閉じてから３０秒経過すると、制御装置７は、流量センサ４０４により通過する水の流量を検出し、流量センサ４０４により検出された流量が所定流量以上を維持した時間が所定時間を超えると、コージェネレーションシステムのエア抜きが完了したことを判定し（Ｓ１７）、注水エア抜きを終了する。ここで、本実施の形態１においては、コージェネレーションシステムのエア抜き完了の判定の際の所定流量としては８Ｌ／ｍｉｎが設定され、所定時間としては３０ｓが設定されている。また、注水エア抜きを終了する場合は、制御装置７は、循環ポンプ１０２、貯湯弁１２５、湯張り弁１１４、ふろ弁５０２、暖房弁４０３、及び給水弁１０８を注水エア抜き開始前の初期状態に戻す（Ｓ１８）。すなわち循環ポンプ１０２を停止し、貯湯弁１２５、湯張り弁１１４、ふろ弁５０２、暖房弁４０３、給水弁１０８を閉じる。
なお、Ｓ１７で、予め設定された規定時間経過しても、流量センサ４０４により検出された流量が所定流量以上を所定時間維持しない場合は、制御装置７は、循環ポンプ１０２を停止し、湯張り弁１１４を開き、貯湯弁１２５、ふろ弁５０２、暖房弁４０３、及び給水弁１０８を閉じる（Ｓ１９）。更に、Ｓ３に戻って循環系統のエア抜きを繰り返して行う。
【００３７】
なお、本実施の形態１においては、図２のＳ４、Ｓ６、Ｓ８、Ｓ１０、Ｓ１２、Ｓ１４、及びＳ１６において、制御装置７のタイマーにより１５秒や３０秒が設定され、１５秒又は３０秒経過後に次のステップに進んでいたが、これに限られるものではなく、タイマーによる設定時間は、貯湯系統１や高温暖房系統４、風呂加熱系統５の配管の長さ等により適宜設定されることが好ましい。
【００３８】
以上のように本実施の形態１におけるコージェネレーションシステムは構成されているので、以下のような作用を有する。
（１）貯湯タンク１０１から排出された、或いは貯湯系統１、高温暖房系統４、風呂加熱系統５の各々の循環系統を通過した水を湯張り経路９ａから風呂追い焚き系統６を介して浴槽に排出することができるので、他に排水口等を設ける必要がなく、既存のシステムで注水エア抜きを行うことができる。
（２）制御装置７により、流量センサ４０４により検出された流量が所定流量以上を維持している時間が所定時間を超えた場合に貯湯タンク１０１のエア抜きの完了を判定するので、貯湯タンク１０１のエア抜きを確実に行うことができると共に、エアが抜けた後も続けて貯湯タンク１０１に給水を行うことがなく、無駄な給水及び作業時間を省略でき作業性に優れる。
（３）貯湯系統１、高温暖房系統４、風呂加熱系統５の各々の循環系統に配設された貯湯弁１２５、暖房弁４０３、ふろ弁５０２を順次又は同時に開閉することにより、各々の循環系統の注水エア抜きを順番に１系統ずつ行うことができるので、配管内にエアが残留し難く、エア抜きを確実に行うことができる。
（４）貯湯系統１、高温暖房系統４、風呂加熱系統５の各々の循環系統の注水エア抜きを行った後、湯張り弁１１４を閉じ、循環ポンプ１０２を駆動して、流量センサ４０４により検出された流量が所定流量以上を維持している時間が所定時間を超えたことにより、エア抜きの完了を判定するので、エア抜きを確実に行うことができると共に、エアが抜けた後も続けて給水を行うことがなく、無駄な給水及び作業時間を省略でき作業性に優れる。
（５）循環ポンプ１０２の駆動後に、貯湯タンク１０１や貯湯系統１、高温暖房系統４、風呂加熱系統５内にエアが残留していれば流量センサ４０４により検出される流量が一定にならないため、流量センサ４０４により検出された流量が所定流量以上を維持している時間が所定時間を超えたことにより、エア抜きの判定をすることにより、システムのエア抜きを確実に行うことができる。
【発明の効果】
以上説明したように本発明のコージェネレーションシステムによれば、以下のような有利な効果が得られる。
【００３９】
請求項１に記載の発明によれば、
（１）注水エア抜き時に、循環系統を通過した水を湯張り経路から風呂追い焚き系統を介して浴槽に排出することができるので、他に別途排水口等を設ける必要がなく、既存のシステムで注水エア抜きを行うことができるコージェネレーションシステムを提供することができる。
（２）循環系統から浴槽への湯張りを行うための湯張り弁を開くことにより、給水口から循環系統に注水した水を浴槽に排出してエア抜きを行うことができるので、既存のシステムで注水エア抜きを自動で開始することができ、容易に制御できる制御性に優れたコージェネレーションシステムを提供することができる。
【００４０】
請求項２に記載の発明によれば、請求項１の効果に加え、
（１）２以上の循環系統の各々に配設された開閉弁を順次開閉することにより、２以上の循環系統の注水エア抜きを順番に１系統ごとに行うことができるので、循環系統の配管内にエアが残留し難く、エア抜きを確実に行うことができると共に、貯湯タンクを含む配管内に残留した異物を水やエアと共に排出することができるコージェネレーションシステムを提供することができる。
【００４１】
請求項３に記載の発明によれば、請求項２の効果に加え、
（１）一の循環系統の開閉弁を開いて、該循環系統のエア抜きを行った後、所定時間経過後に自動で次の循環系統のエア抜きに移行するので、多数の循環系統のエア抜きを自動で且つ短時間で行うことができる省力性に優れたコージェネレーションシステムを提供することができる。
【００４２】
請求項４に記載の発明によれば、請求項２又は３の効果に加え、
（１）循環ポンプを駆動して循環系統に水を循環させ、循環する水の流量を流量センサにより検出し、その流量に基づいてエア抜きの完了を判定し、自動で注水エア抜きを終了することができるコージェネレーションシステムを提供することができる。
（２）循環系統内にエアが残留していれば、流量センサにより検出される流量が一定にならないため、流量センサにより検出される流量に基づいてエア抜きの判定をすることにより、システムのエア抜きを確実に行うことができるコージェネレーションシステムを提供することができる。
【００４３】
請求項５に記載の発明によれば、請求項４の効果に加え、
（１）流量センサにより検出された流量が所定流量以上を維持している時間が所定時間を超えたことにより、エア抜きの完了を判定するので、エア抜きを確実に行うことができると共に、エアが抜けた後も続けて給水を行うことがなく、無駄な給水及び作業時間を省略できる作業性に優れたコージェネレーションシステムを提供することができる。
（２）循環系統内にエアが残留していれば、流量センサにより検出される流量が一定にならないため、循環ポンプの駆動後に流量センサにより検出された流量が所定流量以上を維持している時間が所定時間を超えたことにより、エア抜きの判定をすることにより、システムのエア抜きを確実に行うことができるコージェネレーションシステムを提供することができる。
【００４４】
請求項６に記載の発明によれば、請求項４又は５の効果に加え、
（１）すべての開閉弁を開き循環ポンプを駆動することにより、２系統以上の循環系統のすべてに同時に水を循環させることができ、確実な注水エア抜きを行うことができるコージェネレーションシステムを提供することができる。
（２）共有するラインに循環ポンプや流量センサを設けることにより、２以上の循環系統を有している場合であっても複数の循環ポンプや流量センサを用いる必要がない省コスト性及び制御性に優れたコージェネレーションシステムを提供することができる。
【図面の簡単な説明】
【図１】実施の形態１におけるコージェネレーションシステムを示す構成図
【図２】実施の形態１におけるコージェネレーションシステムの注水エア抜き時の動作を示すフローチャート
【図３】実施の形態１におけるコージェネレーションシステムの注水エア抜き時の動作を示す動作説明図
【図４】実施の形態１におけるコージェネレーションシステムの注水エア抜き時の動作を示す動作説明図
【図５】実施の形態１におけるコージェネレーションシステムの注水エア抜き時の動作を示す動作説明図
【図６】実施の形態１におけるコージェネレーションシステムの注水エア抜き時の動作を示す動作説明図
【図７】実施の形態１におけるコージェネレーションシステムの注水エア抜き時の動作を示す動作説明図
【図８】実施の形態１におけるコージェネレーションシステムの注水エア抜き時の動作を示す動作説明図
【図９】実施の形態１におけるコージェネレーションシステムの注水エア抜き時の動作を示す動作説明図
【図１０】実施の形態１におけるコージェネレーションシステムの注水エア抜き時の動作を示す動作説明図
【符号の説明】
１  貯湯系統（循環系統）
２  エンジン排熱系統
３  暖房系統
４  高温暖房系統（循環系統）
５  風呂加熱系統（循環系統）
６  風呂追い焚き系統
７  制御装置
９  給水給湯系統
９ａ  湯張り経路
１０１  貯湯タンク
１０２  循環ポンプ
１０２ａ、１１５、１１６、１２２  逆止弁
１０３、１０４、１０５、１０６  貯湯サーミスタ
１０７  循環比例弁
１０８  給水弁（開閉弁）
１０９  循環サーミスタ
１１０、１１１  じゃま板
１１２  混合弁
１１２ａ  湯比例弁
１１２ｂ  水比例弁
１１３  流量調整弁
１１４  湯張り弁
１１４ａ  湯張り水量センサ
１１７  給湯口
１１８  給水口
１１９  減圧弁
１２０  給水サーミスタ
１２１  給水水量センサ
１２３ａ  逃し弁
１２４、２０４、３０２、５０１  熱交換器
１２４ａ、２０４ａ、３０２ａ、５０１ａ  熱の供給側
１２４ｂ、２０４ｂ、３０２ｂ、５０１ｂ  熱の受給側
１２５  貯湯弁（開閉弁）
１２６  自動エア抜き弁
１３１  給湯サーミスタ
２０１  排熱ポンプ
２０２  エンジン冷却水タンク
２０５  排熱サーミスタ
２０６  余剰電力回収ヒータ
２０７、３０７、６０２  往路口
２０８、３０８、６０３  戻り口
３０１  暖房ポンプ
３０３  暖房サーミスタ
３０４  バイパス回路
３０５  暖房戻りサーミスタ
３０６  暖房水タンク
３１１  暖房高水位電極
３１２  暖房低水位電極
３１３  暖房基準電極
４０１  補助熱源機
４０２ａ  補助熱源出サーミスタ
４０２ｂ  補助熱源入サーミスタ
４０３  暖房弁（開閉弁）
４０４  流量センサ
４０５  暖房補給水弁
５０２  ふろ弁（開閉弁）
６０１  風呂ポンプ
６０５  風呂サーミスタ
６０７  風呂水流スイッチ
６０８  水位センサ
【図１】
2004211927.tif 000003
【図２】
2004211927.tif 000004
【図３】
2004211927.tif 000005
【図４】
2004211927.tif 000006
【図５】
2004211927.tif 000007
【図６】
2004211927.tif 000008
【図７】
2004211927.tif 000009
【図８】
2004211927.tif 000010
【図９】
2004211927.tif 000011
【図１０】
2004211927.tif 000012